(57)【特許請求の範囲】
【請求項１】
防漏性の容器部（１１２）と、前記容器部（１１２）に前記容器部（１１２）の内外を貫通するように形成されていて前記容器部（１１２）の外に設けられる尿吸引機構（１００ａ）へ接続可能な吸引部(１８０）と、前記容器部（１１２）の開口を覆う透液性シート（１２４）とを含み、前記尿吸引機構（１００ａ）による負圧の作用下に前記透液性シート（１２４）を透過させて前記容器部（１１２）内へ吸引した尿をさらに前記負圧の作用下に前記吸引部（１８０）を介して前記容器部（１１２）の外へ排出させることが可能な尿レシーバ（１０２）であって、
前記容器部（１１２）は、互いに直交する長さ方向（Ｐ）と幅方向（Ｑ）と厚さ方向（Ｒ）とを有し、かつ、底部（１４８）と前記底部（１４８）から前記厚さ方向（Ｒ）へ起立して前記底部（１４８）を囲繞する周壁部（１５０）とを有していて、前記周壁部（１５０）の頂縁部分によって前記開口が画成されている中空のものであり、前記開口を覆う前記透液性シート（１２４）が前記頂縁部分に対して固定されることによって、前記容器部（１１２）と前記透液性シート（１２４）とが尿吸引用空間（１６０）を形成しており、前記吸引部（１８０）が前記尿吸引用空間（１６０）内に向かって口を開く尿吸引用開口（１５６）と前記尿吸引用空間（１６０）外に向かって口を開く尿排出用開口（１１４）とを有していて前記周壁部（１５０）を貫通する導尿用の吸引管（１５４）を含み、
前記吸引管（１５４）が、前記容器部（１１２）の内側にあるものであって、前記長さ方向（Ｐ）において対向する前記周壁部（１５０）の一方から他方に向かって延び、前記尿吸引用開口（１５６）から前記尿排出用開口（１１４）に向かってその内径が徐々に大きくなっており、前記容器部（１１２）を形成している軟質弾性材料によって前記周壁部（１５０）と一体的に形成されていることを特徴とする前記尿レシーバ（１０２）。
【請求項２】
前記容器部（１１２）が、前記周壁部（１５０）の頂縁部分に前記容器部（１１２）の外側へ広がるフランジ部（１５２）を有し、前記透液性シート（１２４）が前記フランジ部（１５２）の上面に対して固定されていて、前記容器部（１１２）の前記底部（１４８）と前記透液性シート（１２４）との間には前記尿吸引用空間（１６０）が形成され、前記吸引管（１５４）が前記尿吸引用空間（１６０）に形成されている請求項１記載の尿レシーバ（１０２）。
【請求項３】
前記尿排出用開口（１１４）は、前記負圧を作用させるための前記尿吸引機構（１００ａ）における導尿チューブ（１０６）を接続できるように形成されている請求項１または２記載の尿レシーバ（１０２）。
【請求項４】
前記吸引管（１５４）は、前記尿吸引用空間に向かって延びた先端に前記尿吸引用開口（１５６）を有し、前記尿吸引用開口（１５６）が前記周壁部（１５０）から前記容器部（１１２）内側へ突出するように形成されたリブ（１５０ｃ）と対向離間しており、前記吸引管（１５４）の前記尿吸引用開口（１５６）と前記周壁部（１５０）の内面に形成された前記リブ（１５０ｃ）との離間寸法が２〜７ｍｍの範囲である請求項１〜３のいずれかに記載の尿レシーバ（１０２）。
【請求項５】
前記透液性シート（１２４）のＪＩＳ  Ｌ  １０９６、セクション６．２７．１に規定される通気性が湿潤状態において０〜１００ｃｃ／ｃｍ２／秒の範囲にあり、乾燥状態において２０〜２００ｃｃ／ｃｍ２／秒の範囲にある請求項１〜４のいずれかに記載の尿レシーバ（１０２）。
【請求項６】
前記透液性シート（１２４）がレーヨン繊維を４０重量％以上含むものである請求項５記載の尿レシーバ（１０２）。
【請求項７】
前記容器部（１１２）が熱可塑性合成樹脂によって形成されており、前記透液性シート（１２４）は前記容器部（１１２）のフランジ部（１５２）と向かい合う部位に前記容器部（１１２）の熱溶融温度とほぼ同じであるかそれよりも低い熱溶融温度を有する熱可塑性合成樹脂材料（２００）を含み、前記熱可塑性合成樹脂材料（２００）を溶融させることにより前記透液性シート（１２４）が前記フランジ部（１５２）に固定されている請求項２〜６のいずれかに記載の尿レシーバ（１０２）。
【請求項８】
前記熱可塑性合成樹脂材料（２００）が熱可塑性合成繊維からなる透液性の不織布であって、前記不織布が前記透液性シート（１２４）と重なり合って前記容器部（１１２）のフランジ部（１５２）に固定された状態で前記容器部（１１２）の開口を覆い、前記透液性シート（１２４）の前記通気性は、前記透液性シート（１２４）がこれと重なり合う前記不織布と一体になることによって満たされている請求項７記載の尿レシーバ（１０２）。
【請求項９】
前記熱可塑性合成樹脂材料（２００）が不透液性のフィルムであって、前記容器部（１１２）のフランジ部（１５２）から前記容器部（１１２）の外側に向かって広がっていて前記容器部（１１２）の内側に向かって広がることのないものである請求項７記載の尿レシーバ（１０２）。
【請求項１０】
前記容器部（１１２）の前記底部（１４８）には、前記厚さ方向（Ｒ）の下方から前記透液性シート（１２４）に当接して前記透液性シート（１２４）の前記底部（１４８）に向かっての撓みを阻止可能な複数の隆起部（１５８）が形成されている請求項１〜９のいずれかに記載の尿レシーバ（１０２）。
【請求項１１】
前記容器部（１１２）は、柔軟弾性材料によって形成されており、前記長さ方向（Ｐ）を前記尿レシーバ着用者の身体の上下方向に一致させるものであり、複数の前記隆起部（１５８）が前記長さ方向（Ｐ）と前記幅方向（Ｑ）とに整列する状態で形成されている請求項１０記載の尿レシーバ（１０２）。
【請求項１２】
前記尿レシーバ（１０２）は、尿レシーバ着用者の肌と前記透液性シート（１２４）との間に位置して前記着用者の尿の排泄を検知することが可能な電気的センサ（１１８）を有している請求項１〜１１のいずれかに記載の尿レシーバ（１０２）。
【請求項１３】
前記電気的センサ（１１８）の少なくとも一部分は、透液性であってかつ排泄物中の固形分が前記電気的センサ（１１８）に接触することを防ぐことが可能なシート状フィルタ（１３２）によって被覆されており、さらに、前記電気的センサ（１１８）と前記フィルタ（１３２）との間には、厚さが少なくとも０．７ｍｍであり、孔径が少なくとも２ｍｍである複数の透孔を有していて前記厚さ方向（Ｒ）において実質的に非圧縮性であるシート状スペーサ（１３０）が介在している請求項１２記載の尿レシーバ（１０２）。
【請求項１４】
前記尿レシーバ（１０２）は、前記幅方向（Ｑ）の両側それぞれに前記長さ方向（Ｐ）へ延びる防漏堤（１３６）を有しており、前記防漏堤（１３６）は、不透液性シートで形成されていて前記幅方向（Ｑ）における外側寄りの縁部（１３６ｂ）と前記長さ方向（Ｐ）における両端縁部（１３６ｃ，１３６ｄ）とが前記尿レシーバ（１０２）において固定された状態にある一方、前記幅方向（Ｑ）における内側寄りの縁部（１３６ｅ）が固定されておらず、かつ、前記長さ方向（Ｐ）へ弾性的に伸長・収縮可能な状態にある請求項１〜１３のいずれかに記載の尿レシーバ（１０２）。
【請求項１５】
前記容器部（１１２）は、その外面側が不透液性シートによって被覆されており、前記不透液性シートは、前記容器部（１１２）の外側へ広がる部分が、前記容器部（１１２）の内面側にあって前記容器部（１１２）から前記外側へ広がるシート材料に接合している請求項１〜１４のいずれかに記載の尿レシーバ（１０２）。
【請求項１６】
前記不透液性シートが熱可塑性合成樹脂フィルムおよび前記フィルムと前記フィルムの外面側に接合した不織布とからなる積層シートのいずれかである請求項１５記載の尿レシーバ（１１２）。
【発明の詳細な説明】
【技術分野】
【０００１】
本発明は、寝たきり老人、寝たきりの病人、身障者等であって、自分では排尿の時期をコントロールしたり排泄した尿を始末したりすることが困難な人が使用する自動尿処理装置に適用可能な尿レシーバに関する。
【背景技術】
【０００２】
寝たきりの老人等には、自分の意志で排尿の時期をコントロールしたり自力で尿の後始末をしたりすることが困難な場合がある。このような場合の尿処理方法として、尿道口の近傍に尿レシーバを当てがい、尿が排泄されると、それを吸引ポンプによって吸引してタンクに導く自動尿処理装置が提案されている。吸引ポンプは、尿タンク内の空気を吸引して、そのタンクと大気圧との差圧により、尿を空気とともに尿レシーバから導尿チューブを介してタンクへ導くことができる。
【０００３】
このような自動尿処理装置に使用される尿レシーバとして、断面がコの字形を成し平面形状がほぼ矩形を成す非通気性の外皮シートに収尿材を納め、この収尿材の表面に難通気性の表面シートを配置し、外皮シートの底面に形成した導尿口から延びる導尿チューブを尿タンクにつなぎ、吸引ポンプの吸引力により尿をレシーバから尿タンクへ導くようにするものが開示されている（例えば、特許文献１を参照）。
【特許文献１】特開２００４−２６７５１７号公報
【発明の開示】
【発明が解決しようとする課題】
【０００４】
特許文献１の尿レシーバは、導尿チューブとの接続口となる導尿口が、収尿材を被覆している外皮シートで形成される底面の側に設けられている。このものは、吸引ポンプを作動させて吸尿する際に、収尿材の縁部に留まる尿を完全に吸尿することが困難であった。また、導尿口を収尿材の縁部に届くように設けると、導尿口に接続する導尿チューブを外皮シートと表面シートとで挟むような状態となり、導尿チューブの近傍では、表面シートと外皮シートとを確実にシールして両シート間の気密性を保持するということが難しく、尿レシーバにおける吸尿の効率を低下させるおそれがあった。
【０００５】
本発明は、従来の尿レシーバが有する上記問題に鑑みてなされたものであり、尿レシーバにおける吸尿効率の向上を課題にしている。
【課題を解決するための手段】
【０００６】
上記課題を解決するために、本発明が対象とするのは、防漏性の容器部と、前記容器部に前記容器部の内外を貫通するように形成されていて前記容器部の外に設けられる尿吸引機構へ接続可能な吸引部と、前記容器部の開口を覆う透液性シートとを含み、前記尿吸引機構による負圧の作用下に前記透液性シートを透過させて前記容器部内へ吸引した尿をさらに前記負圧の作用下に前記吸引部を介して前記容器部の外へ排出させることが可能な尿レシーバである。
【０００７】
かかる尿レシーバにおいて、本発明が特徴とするところは、次のとおりである。前記容器部は、互いに直交する長さ方向と幅方向と厚さ方向とを有し、かつ、底部と前記底部から前記厚さ方向へ起立して前記底部を囲繞する周壁部とを有していて、前記周壁部の頂縁部分によって前記開口が画成されている中空のものであり、前記開口を覆う前記透液性シートが前記頂縁部分に対して固定されることによって、前記容器部と前記透液性シートとが尿吸引用空間を形成しており、前記吸引部が前記尿吸引用空間内に向かって口を開く尿吸引用開口と前記尿吸引用空間外に向かって口を開く尿排出用開口とを有していて前記周壁部を貫通する導尿用の吸引管を含み、前記吸引管が、前記容器部の内側にあるものであって前記長さ方向において対向する前記周壁部の一方からもう一方に向かって延びており、前記容器部を形成している軟質弾性材料によって前記周壁部と一体的に形成されている。
【０００８】
本発明の一実施態様において、前記容器部が、前記周壁部の頂縁部分に前記容器部の外側へ広がるフランジ部を有し、前記透液性シートが前記フランジ部の上面に対して固定されていて、前記容器部の前記底部と前記透液性シートとの間には尿吸引用空間が形成され、前記吸引管が前記尿吸引用空間に形成されている。
【０００９】
本発明の他の実施態様において、前記尿排出用開口は、前記負圧を作用させるための前記尿吸引機構における導尿チューブを接続できるように形成されている。
【００１０】
本発明のさらに他の実施態様において、前記吸引管は、前記尿吸引用空間に向かって延びた先端に前記尿吸引用開口を有し、前記尿吸引用開口が、前記周壁部の一部分および前記周壁部から前記容器部内側へ突出するように形成されたリブのいずれかと対向していて、前記一部分および前記リブのいずれかと２〜７ｍｍ離間している。
【００１１】
本発明のさらに他の実施態様において、前記透液性シートのＪＩＳ  Ｌ  １０９６、セクション６．２７．１に規定される通気性が湿潤状態において０〜１００ｃｃ／ｃｍ２／秒の範囲にあり、乾燥状態において２０〜２００ｃｃ／ｃｍ２／秒の範囲にある。
【００１２】
本発明のさらに他の実施態様において、前記透液性シートがレーヨン繊維を４０重量％以上含むものである。
【００１３】
本発明のさらに他の実施態様において、前記容器部が熱可塑性合成樹脂によって形成されており、前記透液性シートは前記容器部のフランジ部と向かい合う部位に前記容器部の熱溶融温度とほぼ同じであるかそれよりも低い熱溶融温度を有する熱可塑性合成樹脂材料を含み、前記熱可塑性合成樹脂材料を溶融させることにより前記透液性シートが前記フランジ部に固定されている。
【００１４】
本発明のさらに他の実施態様において、前記熱可塑性合成樹脂材料が熱可塑性合成繊維からなる透液性の不織布であって、前記不織布が前記透液性シートと重なり合って前記容器部のフランジ部に固定された状態で前記容器部の開口を覆い、前記透液性シートの前記通気性は、前記透液性シートがこれと重なり合う前記不織布と一体になることによって満たされている。
【００１５】
本発明のさらに他の実施態様において、前記熱可塑性合成樹脂材料が不透液性のフィルムであって、前記容器部のフランジ部から前記容器部の外側に向かって広がっていて前記容器部の内側に向かって広がることのないものである。
【００１６】
本発明のさらに他の実施態様において、前記容器部の前記底部には、前記厚さ方向の下方から前記透液性シートに当接して前記透液性シートの前記底部に向かっての撓みを阻止可能な複数の隆起部が形成されている。
【００１７】
本発明のさらに他の実施態様において、前記容器部は、柔軟弾性材料によって形成されており、前記長さ方向を前記尿レシーバ着用者の身体の上下方向に一致させるものであり、複数の前記隆起部が前記長さ方向と前記幅方向とに整列する状態で形成されている。
【００１８】
本発明のさらに他の実施態様において、前記尿レシーバは、尿レシーバ着用者の肌と前記透液性シートとの間に位置して前記着用者の尿の排泄を検知することが可能な電気的センサを有している。
【００１９】
本発明のさらに他の実施態様において、前記電気的センサの少なくとも一部分は、透液性であってかつ排泄物中の固形分が前記電気的センサに接触することを防ぐことが可能なシート状フィルタによって被覆されており、さらに、前記電気的センサと前記フィルタとの間には、厚さが少なくとも０．７ｍｍであり、孔径が少なくとも２ｍｍである複数の透孔を有していて前記厚さ方向において実質的に非圧縮性であるシート状スペーサが介在している。
【００２０】
本発明のさらに他の実施態様において、前記尿レシーバは、前記幅方向の両側それぞれに前記長さ方向へ延びる防漏堤を有しており、前記防漏堤は、不透液性シートで形成されていて、前記幅方向における外側寄りの縁部と前記長さ方向における両端縁部とが前記尿レシーバにおいて固定された状態にある一方、前記幅方向における内側寄りの縁部が固定されておらず、かつ、前記長さ方向へ弾性的に伸長・収縮可能な状態にある。
【００２１】
本発明のさらに他の実施態様において、前記容器部は、その外面側が不透液性シートによって被覆されており、前記不透液性シートは、前記容器部の周縁から前記容器部の外側へ広がる部分が、前記容器部の内面側にあって前記容器部から前記外側へ広がるシート材料に接合している。
【００２２】
本発明のさらに他の実施態様において、前記不透液性シートが熱可塑性合成樹脂フィルムおよび前記フィルムと前記フィルムの外面側に接合した不織布とからなる積層シートのいずれかである。
【発明の効果】
【００２３】
本発明によれば、吸引部における導尿用の吸引管が容器部に一体的に成形されていて、容器部における周壁部の頂縁部分に透液性シートが固定されているから、容器部と吸引機構との接続は容易かつ確実であり、周壁部の頂縁部分と透液性シートとの固定も容易かつ確実になって、尿レシーバの気密性を高めることが容易になる。
【００２４】
容器部にフランジ部が形成されている態様のこの発明では、透液性シートと容器部との固定が極めて容易かつ確実になる。
【００２５】
尿排出用開口が導尿チューブを接続可能に形成されている態様のこの発明では、尿レシーバが扱いやすいものになる。
【００２６】
尿吸引用開口が周壁部やリブに接近して形成されている態様のこの発明では、透液性シートが容器部の内側へ撓むことがあっても、その透液性シートが尿吸引用開口と周壁部やリブとの間に入ってその開口を塞ぐという問題を生じない。
【００２７】
透液性シートの通気性が規定されている態様のこの発明では、尿吸引機構の吸引ポンプを作動させたときに、尿吸引用空間内を速やかに負圧にすることができ、尿の容器部内への流入が容易になる。
【００２８】
この発明におけるその他の態様と、それによって得られる作用、効果とは、以下の実施形態において詳述される。
【発明を実施するための最良の形態】
【００２９】
以下に添付図面を参照しながら、本発明に係る尿レシーバの詳細を説明する。
【００３０】
図１は、本発明に係る尿レシーバ１０２が使用されており、その尿レシーバ１０２と組み合わせられる尿吸引機構１００ａを含んだ自動尿処理装置１００の概略構成図である。なお、尿レシーバ１０２は、それを着用する者の肌に向ける内面側とその反対側であって着用者の着衣に向ける外面側とを有するもので、図ではその外面側の部材が部分的に破断した状態で示されている。
【００３１】
自動尿処理装置１００は、着用者（図示せず）が排泄した尿を尿レシーバ１０２に集めて処理することができる装置である。その尿レシーバ１０２は、着用者の尿道口近傍の肌に当接して排泄された尿を受け容れるトレー状の容器部１１２を含み、自動尿処理装置１００は、この容器部１１２に接続される継手部材１０４、導尿チューブ１０６、尿タンク１０６ａ、ポンプユニット１０８、電気配線１１６等からなる尿吸引機構１００ａを含む。
【００３２】
ポンプユニット１０８は、尿レシーバ１０２に集めた尿を取り出して溜めておくことができる尿タンク１０６ａと、尿レシーバ１０２に設けられていて排尿のあったことを検知する尿センサ１１８をポンプユニット１０８へ電気的に接続するための電気配線１１６と、配線１１６を介して尿センサ１１８から送られる信号に基づいて作動する吸引ポンプ（図示せず）とを備える。尿レシーバ１０２では、容器部１１２の周壁部に形成された尿排出用開口１１４に対して継手部材１０４を介して導尿チューブ１０６が接続される。ポンプユニット１０８から延びる配線１１６の先端には、尿レシーバ１０２に設けられた尿センサ１１８の電極２１８ａ，２１８ｂ等（図３参照）を配線１１６へ電気的に接続するためのクリップ１２０が取り付けられている。かような自動尿処理装置１００は、尿センサ１１８により尿が排泄されたことを検知し、その検知したことに基づく信号によってポンプユニット１０８に含まれる吸引ポンプを作動させて尿タンク１０６ａ内の空気を吸引することにより、着用者が排泄した尿を容器部１１２の内部へ吸引し、その吸引した尿を継手部材１０４と導尿チューブ１０６とを介して吸引して、尿タンク１０６ａに集めることができる。
【００３３】
図２は、尿レシーバ１０２の着用方法の一例を示す図である。尿レシーバ１０２は、Ｔ字ベルト３００の股間ベルト部３０１の内面側に粘着剤や商品名マジックテープ（登録商標）で知られるメカニカルファスナ等を使用して固定されている。尿レシーバ１０２の容器部１１２は、その大部分が着用者身体の上下方向へ延びてその内側が着用者の尿道口とその周辺の肌とに向かい合うとともに、下端部分が緩やかに湾曲しながら肛門へ向かうように延びた状態で着用される。Ｔ字ベルト３００は、胴ベルト部３０２の両端部がメカニカルファスナ等の連結手段３０３を介して分離可能に連結されており、股間ベルト部３０１は一端部が胴ベルト部３０２に縫合される一方、もう一端部がメカニカルファスナ３０４を介して分離可能に胴ベルト部３０２に連結されている。なお、尿レシーバ１０２は、図示例の着用手段の他に、開放型のおむつやパンツ型のおむつ、おむつカバー、失禁患者用パンツ等適宜の手段を使用して着用することができる。
【００３４】
図３は、尿レシーバ１０２の内面側を示す平面図である。図４は図３のＩＶ−ＩＶ線に沿う切断面を示す図であり、図５は図３のＶ−Ｖ線に沿う切断面を示す図であって、これら図４，５では、尿レシーバ１０２の厚さ方向Ｒ（図４参照）において重なり合うべき各部材が一部のものを除いて互いに離間した状態で示されている。
【００３５】
図３、４において、尿レシーバ１０２は、着用者身体の上下方向に一致させる長さ方向Ｐと、長さ方向Ｐに直交する幅方向Ｑとを有し、長さ方向Ｐの両端部近傍で幅が広く、中央部で幅が狭くなっている。尿レシーバ１０２はまた、厚さ方向Ｒを有し、容器部１１２の上方には、その厚さ方向Ｒの下方から順に、不透液性のバックシート１２２、難通気性の透液性シート１２４、拡散シート１２６、クッションシート１２８、尿センサ１１８、尿センサ保護用のスペーサであるスペーサ１３０、尿センサ保護用のシート状フィルタ１３２、透液性肌当てシート１３４、および防漏堤１３６が重ねられている。
【００３６】
また、尿レシーバ１０２を平面的にみると、防漏堤１３６の上端部と下端部とのそれぞれが、第１、第２エンドシート１３８，１４０で被覆されている（図３参照）。
【００３７】
尿レシーバ１０２を着用中に便が排泄されて、肌当てシート１３４が便で覆われると、尿レシーバ１０２は尿を吸引することができなくなる。そこで、尿レシーバ１０２には、便センサ１４４が設けられている。便センサ１４４では、図４における熱可塑性合成樹脂フィルム１４２ｃ，１４２ｄの上面にアルミ蒸着等によって電極１４３ａ，１４３ｂが形成されていて、そのフィルム１４２ｃ，１４２ｄが２枚のカバーシート１４２ａ，１４２ｂで被覆されている。カバーシート１４２ａは透液性のものであって、便中の水分が電極１４３ａ，１４３ｂに向かって透過可能である。かような便センサ１４４では、電極１４３ａ，１４３ｂが尿検出用電極２１８ａ，２１８ｂに並行して長さ方向Ｐへ延びていて、図３，５における下端部分１４５ｂがエンドシート１４０から下方へ延出している。その下端部分１４５ｂが便で汚れると、便中の水分がカバーシート１４２ａを透過して、電極１４３ａ，１４３ｂが電気的につながると、配線１１６に含まれている電源１１６ａ（図１参照）から電流が流れてポンプユニット１０８における警報器に信号を送り、便の処理と尿レシーバ１０２の交換とを促すことができる。
【００３８】
容器部１１２は可撓性のもので、例えば、軟質ポリエチレンやシリコンゴム等の軟質弾性材料を使用した射出成形その他適宜の成形手段によって作ることが可能で、長さ方向Ｐにも幅方向Ｑにも湾曲させることができる。図４，５における容器部１１２の頂縁部分にはフランジ部１５２が形成されていて、そのフランジ部１５２にはバックシート１２２が上方から重なり、フランジ部１５２の全周にわたって部位１２２ａにおいて溶着または接着により接合している。なお、容器部１１２の構造の詳細は、図６において説明される。
【００３９】
バックシート１２２は、尿レシーバ１０２で受け止めた尿が尿レシーバ１０２の外に漏れるのを防止するための手段であり、ポリエチレン等の柔軟な不透液性フィルムやそのフィルムと不織布との積層シート等で形成される。例えば、図４において、バックシート１２２には厚さ３０μｍのポリエチレンフィルムが使用される。バックシート１２２の長さと幅は、適宜の寸法を選ぶことが可能であるが、図４，５のバックシート１２２は図３の尿レシーバ１０２の輪郭とほぼ一致するように作られている。
【００４０】
透液性シート１２４は、透液性は高いが通気性が低い難通気性もので、容器部１１２の開口を覆っていて、周縁部１２４ａがバックシート１２２に対して、より好ましくはバックシート１２２とバックシート１２２を介してフランジ部１５２の全周とに対して部位１２４ｂにおいて溶着または接着により上方から接合して、固定されており、容器部１１２と協働して尿吸引用空間１６０を形成している。尿吸引用空間１６０は、難通気性である透液性シート１２４で開口が閉じられることによって、尿レシーバ１０２に向かって排泄された尿を吸引処理する際に、容器部１１２内を容易に負圧にすることができる。この透液性シート１２４には、不織布、例えば、２２ｇ／ｍ２のスパンボンド不織布と１０ｇ／ｍ２のメルトブローン不織布と２２ｇ／ｍ２のスパンボンド不織布とからなるＳＭＳ不織布を、好ましくは界面活性剤で親水化処理して使用することができる。透液性シート１２４が難通気性であるとは、このシート１２４の通気性をＪＩＳ  Ｌ  １０９６のセクション６．２７．１に規定される通気性測定方法のＡ法に従って測定したときの値が、湿潤状態において０〜１００ｃｃ／ｃｍ２／秒の範囲にあり、より好ましくは０〜５０ｃｃ／ｃｍ２／秒の範囲にあり、また、乾燥状態においては２０〜２００ｃｃ／ｃｍ２／秒の範囲にあり、より好ましくは２０〜１００ｃｃ／ｃｍ２／秒の範囲にあり、さらに好ましくは２０〜５０ｃｃ／ｃｍ２／秒の範囲にあることを意味している。この通気性を測定する際の湿潤状態とは、不織布を２０℃、ＲＨ６０％の条件下に少なくとも２４時間放置したときの重量を乾燥時のシート重量とし、この不織布を３分間浸水した後に５分間吊り下げて水切りしたときの重量を湿潤時のシート重量とし、これらの重量に基づいて下記の式（１）で算出される不織布の含水率が１００％以上の状態にあることを意味している。
含水率＝(湿潤時のシート重量−乾燥時のシート重量)／(乾燥時のシート重量)・・式(１)
【００４１】
拡散シート１２６は、レーヨン等の親水性繊維を４０重量％以上含み、坪量１０〜３０ｇ／ｍ２を有する不織布やティシュペーパ等のシート材料で形成され、尿レシーバ１０２の着用者が尿を排泄したときに、その尿を速やかに拡散させて透液性シート１２４を広い範囲にわたって短時間で湿潤状態にするために使用されるもので、透液性シート１２４に対して溶着または接着により間欠的に接合している。透液性シート１２４が広い範囲にわたって湿潤状態になると、尿吸引用空間１６０を形成している容器部１１２の内部が速やかに高い真空度になり、容器部１１２内への尿の吸引を促進することができる。図のように透液性シート１２４と重ね合わせて使用される拡散シート１２６は、透液性シート１２４よりも高い通気性と透液性とを有する。
【００４２】
クッションシート１２８は、例えば、坪量２０〜３０ｇ／ｍ２のサーマルボンド不織布等で形成され、着用者の排尿初期段階で瞬間的に尿を受け止める機能を有する他に、尿レシーバ１０２の組立工程において、尿センサ１１８や尿センサ保護用ネットであるスペーサ１３０、尿センサ保護用のフィルタシート１３２等を尿レシーバ１０２における所定の位置に置くためのキャリヤシートとしての機能を有する。クッションシート１２８は、拡散シート１２６に対して溶着または接着により間欠的に接合している。クッションシート１２８は、透液性シート１２４よりも高い通気性と透液性とを有する。
【００４３】
尿センサ１１８は、ポリエチレンフィルム等の可撓性の熱可塑性合成樹脂フィルム２６０と、その上に導電性塗料を印刷等の手段によって塗布することにより形成された一対の電極２１８ａ，２１８ｂとを有し、これらの電極２１８ａ，２１８ｂは、フィルム２６０に形成されている開口１７１の両側それぞれに設けられていて、尿レシーバ１０２の長さ方向Ｐへ互いに平行して延びている。図３において、かような電極２１８ａ，２１８ｂの上端部は、エンドシート１３８の上縁から延出していてクリップ１２０（図１，２参照）によって把持される。この尿センサ１１８では、一対の電極２１８ａ，２１８ｂが尿を介して電気的につながると、ポンプユニット１０８に対して尿が排泄されたことを知らせる信号を出すことができる。尿センサ１１８は、厚さ方向Ｒにおいて、透液性シート１２４の上面側に設けられるもので、拡散シート１２６やクッションシート１２８が使用されない場合の尿センサ１１８は、透液性シート１２４に対して直接的に接合される。しかし、尿センサ１１８にはクッションシート１２８を使用して、尿センサ１１８をそのクッションシート１２８に対して溶着または接着により接合して一対の電極２１８ａ，２１８ｂの幅方向Ｑにおける離間距離を一定に保つことが好ましい。幅方向Ｑへ互いに離間させた電極２１８ａ，２１８ｂどうしの間ではフィルム２６０の開口１７１からクッションシート１２８をのぞかせる。
【００４４】
図４において、尿センサ１１８は、それを保護するために、熱可塑性合成樹脂製メッシュシートで形成されていて少なくとも０．７ｍｍの厚さを有するスペーサ１３０と坪量１５〜２５ｇ／ｍ２のスパンボンド不織布等で形成されたシート状フィルタ１３２とによって上方から覆われている。スペーサ１３０とフィルタ１３２とは、溶着または接着により互いに固定することができ、またこれら両者１３０，１３２をクッションシート１２８に対して溶着または接着により固定することもできる。スペーサ１３０は、湿潤状態にあるフィルタ１３２とセンサ１１８とが接触し続けることを防ぐことができるように、特に尿レシーバ１０２が着用者の体圧を受けたときにこれらが接触し続けることを防ぐことができるように、フィルタ１３２とセンサ１１８とを厚さ方向Ｒにおいて離間させておくために使用されている。かかるスペーサ１３０は、着用した尿レシーバ１０２が体圧やその他の圧力を受けても、実質的にはその厚さが変化することのないようなメッシュシートで作られていて、透液性シート１２４よりも高い通気性と透液性とを有するものでなければならない。そのメッシュシートの目の大きさは、尿の透過を妨げることがないように、少なくとも２ｍｍの径を有していることが好ましい。フィルタ１３２は、排泄物のうちの固形分が尿センサ１１８に付着して尿センサ１１８が恒久的に通電状態になるというような誤作動が生じることを防ぐためのものであって、透液性シート１２４よりも高い通気性と透液性とを有する。
【００４５】
フィルタ１３２の上方に位置する肌当てシート１３４は、坪量が１５〜２５ｇ／ｍ２のサーマルボンド不織布の如き柔軟にして透液性を有するシートで形成されている。肌当てシート１３４は、着用者の尿道口とその周辺の肌とに向かい合い、尿が排泄されたときに、その尿が尿レシーバ１０２の内部に向かって速やかに移行することを妨げることがないもので、親水性のものである場合と撥水性のものである場合とがある。肌当てシート１３４は、透液性シート１２４よりも高い通気性と透液性とを有し、フィルタ１３２に接着または溶着により接合されることが好ましい。
【００４６】
図４に示された左右一対の防漏堤１３６は、尿が肌当てシート１３４の上を幅方向Ｑへ流れて尿レシーバ１０２から横漏れすることを防止するためのものであって、幅方向Ｑにおいて尿レシーバ１０２の外側寄りに位置する外側縁部１３６ｂと長さ方向Ｐにおいて尿レシーバ１０２の両端寄りに位置する両端縁部１３６ｃ，１３６ｄ（図３参照）とが肌当てシート１３４に接合される一方、尿レシーバ１０２の幅を二等分する中心線でもある図３のＶ−Ｖ線寄りに位置する内側縁部１３６ｅが肌当てシート１３４に接合されておらず、その内側縁部１３６ｅには弾性部材１３６ａが長さ方向Ｐへ伸長された状態で取り付けられている。防漏堤１３６は、尿レシーバ１０２が着用者の肌に当接するように長さ方向Ｐにおいて湾曲すると、弾性部材１３６ａが収縮して内側縁部１３６ｅが肌当てシート１３４から離間するように起立する。防漏堤１３６は、肌に直接触れる部位であるから、柔軟な熱可塑性合成樹脂フィルムやそのフィルムと不織布との積層シート等によって形成され、好ましくは不透液性である。防漏堤１３６の端縁部１３６ｃ，１３６ｄそれぞれの近傍は、エンドシート１３８とエンドシート１４０とのそれぞれによって被覆されている（図３，５参照）。
【００４７】
図３，５において、下方に設けられたエンドシート１４０の近傍における防漏堤１３６どうしの間には、着用者の臀裂を埋める手段として、柔軟にして弾性を有するサーマルボンド不織布等で形成された嵩高な繊維塊１４６が取り付けられている。この繊維塊１４６は、尿が臀裂を伝わって流れようとする時に、その流れを止めて尿を容器部１１２の方向へ導くことができる。かかる繊維塊１４６の取り付け位置は、男性用の尿レシーバ１０２と女性用の尿レシーバ１０２とで、違いをつけておくことが好ましい。例えば、女性用の尿レシーバ１０２の場合に、図３および図５に示すように繊維塊１４６をエンドシート１４０の近傍に取り付けたとすると、男性用の尿レシーバ１０２の場合には、繊維塊１４６を女性用のそれよりも上方寄りに取り付けることが好ましい。
【００４８】
好ましい尿レシーバ１０２は、厚さ方向Ｒにおける容器部１１２の下方に、２枚の被覆シート１４２ａ，１４２ｂと、これら被覆シート１４２ａ，１４２ｂによって覆われた左右一対の便検知用電極１４３ａ，１４３ｂとを含む便センサ１４４を有する。電極１４３ａ，１４３ｂは、熱可塑性合成樹脂フィルムにアルミ蒸着を施すことによって形成されている。被覆シート１４２ａ，１４２ｂには、例えば、坪量１５〜２１ｇ／ｍ２を有する透液性のスパンボンド不織布を使用することができる。図５の長さ方向Ｐにおいて、便センサ１４４は、その端部１４５ｂがエンドシート１４０から下方へ延出する一方、端部１４５ａが、エンドシート１３８から上方へ延出し、かつ、尿センサ１１８よりもさらに上方へ延出している。尿レシーバ１０２を着用すると、便センサ１４４の端部１４５ｂが肛門寄りに位置する。便が排泄されて、端部１４５ｂに便が付着し、その便が被覆シート１４２ａ，１４２ｂのいずれかを透過して両電極１４３ａ，１４３ｂをつなぐと、便センサ１４４は通電状態となってポンプユニット１０８に備えられた表示部（図示せず）において排便があったことを知らせる信号を出すことができる。また、端部１４５ａにおいて露出している電極１４３ａ，１４３ｂは、クリップ１２０によって把持されて配線１１６と電気的につながる。被覆シート１４２ａ，１４２ｂを疎水性の不織布で形成しておけば、尿レシーバ１０２の着用者の汗で一対の電極１４３ａ，１４３ｂが電気的につながって、便センサ１４４が誤って排便があったと認識して信号を出すということがない。被覆シート１４２ａ，１４２ｂは、容器部１１２とバックシート１２２とに溶着または接着により接合している。
【００４９】
尿レシーバ１０２は、肌当てシート１３４が便で覆われると尿を吸引できなくなるため、便センサ１４４によって便の存在が検知されたならば、速やかに交換することが好ましい。
【００５０】
図６は尿レシーバ１０２に含まれる容器部１１２の斜視図であり、図７は図６のＶＩＩ−ＶＩＩ線断面図であり、図８は図６のＶＩＩＩ−ＶＩＩＩ線断面図であり、図９は図６の容器部１１２に継手部材１０４が取り付けられた状態を示す図８と同様な図である。
【００５１】
これらの図に示された容器部１１２は、互いに直交する長さ方向Ｐと幅方向Ｑと厚さ方向Ｒとを有する中空のもので、底部１４８と、底部１４８の周縁部分から容器部１１２の外側に向かって傾斜しながら厚さ方向Ｒへ起立する周壁部１５０と、周壁部１５０の頂縁部分から外側へ水平方向に広がるフランジ部１５２とを有する。フランジ部１５２の内面（図７における上面）には、バックシート１２２が溶着または接着により接合し、固定される（図４参照）。バックシート１２２は、フランジ部１５２における平坦な上面に対して接合されるので、接合作業が容易であるばかりでなく、バックシート１２２とフランジ１５２との間から尿が漏れることがないように水密な状態で接合することが容易である。
【００５２】
図６で明らかなように、容器部１１２には、その内部へ流入した尿を集めてそれを外部へ排出するための吸引部１８０が形成されている。吸引部１８０は、容器部１１２の幅方向Ｑの略中央部において長さ方向Ｐへ延びる導尿用の吸引管１５４と、吸引管１５４の内端部、すなわち図の左端部において容器部１１２の内部に向かって開口している尿吸引用開口１５６と、図８の右端部において容器部１１２の外部に向かって開口している尿排出用開口１１４とを有する。好ましい尿吸引用開口１５６は、容器部１１２の長さ方向Ｐにおいて対向している周壁部１５０ａ，１５０ｂのうちで、尿レシーバ１０２を着用したときに下方に位置する周壁部１５０ａの内面に対して、その内面との離間距離が２〜７ｍｍとなるように接近して形成される。例えば、吸引管１５４の内径が４〜６ｍｍのときに、尿吸引用開口１５６と周壁部１５０ａとの距離は３ｍｍ程度にすることが好ましい。このように尿吸引用開口１５６が周壁部１５０ａに接近していると、尿レシーバ１０２が図２の如き着用状態にあって容器部１１２が湾曲し、透液性シート１２４が容器部１１２の内側へ垂れ下がることがあっても、間隔が狭い尿吸引用開口１５６と周壁部１５０ａとの間には垂れ下がり難く、尿吸引用開口１５６が透液性シート１２４によって塞がれるというような問題が生じない。吸引管１５４はまた、一方の周壁部１５０ａからこれに対向するもう一方の周壁部１５０ｂに向かって内径を徐々に拡大させながら尿排出用開口１１４にまで延びている。尿排出用開口１１４は、図８に示すように、フランジ部１５２の下側に、好ましくはフランジ部１５２から少なくとも３ｍｍ離間して形成される。そのような尿排出用開口１１４は、継手部材１０４の挿入が容易であるうえに、挿入した継手部材１０４の影響でフランジ部１５２の内面が歪むということもない。
【００５３】
容器部１１２の内部には、尿を吸引ポンプで吸引する際に透液性シート１２４の垂れ下がりやたわみを抑えて透液性シート１２４と容器部１１２の底部１４８との間の空間を維持することができるように、即ち容器部１１２と透液性シート１２４とで形成される尿吸引用空間１６０（図１０参照）を維持することができるように複数の略円錐台形状の隆起部１５８が長さ方向Ｐおよび幅方向Ｑへ直線を成すように所要の間隔をあけて形成されている。尿レシーバ１０２を肌に当てると、容器部１１２は、隆起部１５８どうしの間が案内となって、長さ方向Ｐにも幅方向Ｑにも容易に湾曲する。
【００５４】
図１０は、容器部１１２にバックシート１２２および透液性シート１２４を接合する過程の一例を示す図である。容器部１１２のフランジ部１５２には、バックシート１２２とすべきシート材料を当接して熱溶着、高周波溶着、ホットメルト接着剤による接着等の接合手段によって接合する。次に、このシート材料は、フランジ部１５２の内側にある部分Ｌを切り取ってバックシート１２２とし、このバックシート１２２の内面（図における上面）に透液性シート１２４を載せて、その透液性シート１２４をバックシート１２２にたいして、またはバックシート１２２とフランジ部１５２とに対して接合する。
【００５５】
透液性シート１２４と協働して尿吸引用空間１６０を形成している容器部１１２では、吸引管１５４の尿排出用開口１１４に導尿チューブ１０６を接続してからポンプユニット１０８の吸引ポンプを作動させて尿タンク１０６ａ内を負圧にすると、導尿チューブ１０６、継手部材１０４、吸引管１５４を介して尿吸引用空間１６０を負圧にすることができ、容器部１１２の外にある尿を透液性シート１２４を介して容器部１１２の内側へ導き、さらにその尿を容器部１１２の周壁部１５０ａ（図８参照）近傍に集めて尿吸引用開口１５６から尿タンク１０６ａへと排出することができる。
【００５６】
図１１，１２は、この発明の実施態様の一例を示す図４，５と同様な図である。図１１，１２の尿レシーバ１０２は、図４，５のそれと異なりバックシート１２２を使用していないもので、透液性シート１２４の周縁部１２４ａが部位１２４ｂにおいて容器部１１２のフランジ部１５２の全周に溶着または接着により接合し、固定されている。尿レシーバ１０２の長さや幅を短くしなければならない場合には、図示例の如くバックシート１２２を省いて尿レシーバ１０２を作ることができる。この場合の尿レシーバ１０２では、防漏堤１３６やエンドシート１３８，１４０を不透液性シートで作って容器部１１２のフランジ部１５２と水密状態で接合し、容器部１１２の尿がフランジ部１５２を伝って容器部１１２の外側へ流れ出ることがないようにすることが好ましい。フランジ部１５２は、尿レシーバ１０２の着用感を悪くすることがないことを条件に、上下方向Ｐの寸法や幅方向Ｑの寸法を自由に設定することができる。
【００５７】
この発明において、尿センサ１１８を正常に機能させるには、図示例のごとく肌当てシート１３４やフィルタ１３２、スペーサ１３０等で尿センサ１１８を被覆しておくことが好ましいが、図１１，１２の尿レシーバ１０２において、スペーサ１３０、フィルタ１３２、肌当てシート１３４、防漏堤１３６、便センサ１４４のいずれかを省いてこの発明を実施することも可能である。また、この発明において、図５の如くにバックシート１２２を使用する場合に、バックシート１２２をフランジ部１５２に水密状態で固定し、そのバックシート１２２の内面に対して透液性シート１２４を接合して、透液性シート１２４をフランジ部１５２に対して間接的に固定するならば、透液性シート１２４に含まれる尿が尿レシーバ１０２の外へ滲出することの防止が容易になる。ただし、この発明が透液性シート１２４をフランジ部１５２に対して直接的に固定する構造を除外するものでないことは、図１１，１２に示すとおりである。
【００５８】
図１３は、図６の容器部１１２とは態様の異なる容器部１１２についての斜視図であって、この容器部１１２もまたこの発明において使用されるものである。この容器部１１２は、長円形に作られており、周壁部１５０には、三条のリブ１５０ｃが形成されている。容器部１１２の幅方向Ｑの中央部では吸引管１５４が長さ方向Ｐへ延びていて、吸引用開口１５６がリブ１５０と対向しており、吸引用開口１５６とリブ１５０との離間距離が２〜７ｍｍの範囲にある。容器部１１２の底部１５１（図１４参照）には、複数の隆起部１５８が形成されている。その隆起部１５８は、丈がフランジ部１５２とほぼ同じレベルにある丈の高い第１隆起部１５８ａと、第１隆起部１５８ａよりも丈が低い第２隆起部１５８ｂとを含んでいる。
【００５９】
図１４，１５は、図１３の容器部１１２が使用されている尿レシーバ１０２の一態様を示す図４，５と同様な図であるが、厚さ方向Ｒにおいて重なり合う部材が互いに離間した状態で示されている。この尿レシーバ１０２は、容器部１１２の外面側に不透液性のバックシート１２２を有し、そのバックシート１２２が容器部１１２の周縁から長さ方向Ｐと幅方向Ｑとに延出している。容器部１１２の内面側には、接合用シート２００と、難通気性の透液性シート１２４と、クッションシート１２８と、尿センサ１１８と、スペーサ１３０と、フィルタ１３２と、肌当てシート１３４と、防漏堤１３６とが図示の如く順に重なっている。
【００６０】
接合用シート２００は、容器部１１２のフランジ部１５２と透液性シート１２４との接合を容易にするために使用されている。例えば、容器部１１２がポリエチレン製のものであって、透液性シート１２４がレーヨン繊維やポリプロピレン繊維、ポリエステル繊維等で形成されていてポリエチレンと比べて溶融し難いものである場合には、容器部１１２を形成している樹脂の溶融温度とほぼ同じであるかそれよりも低い溶融温度の樹脂を含む材料、例えばポリエチレンとポリプロピレンとからなるサイド・バイ・サイド型の複合繊維からなるスパンボンド不織布を接合用シート２００として使用する。フランジ部１５２と透液性シート１２４とは、これら両者間に介在する複合繊維に含まれたポリエチレンを溶融させながら、厚さ方向Ｒから加圧することによってフランジ部１５２の全周にわたって容易に接合する。かような接合用シート２００は、図示例の如く容器部１１２におけるフランジ部１５２と頂部開口との全体を覆うように使うことができる他に、フランジ部１５２のみを覆うように使うこともできる。
【００６１】
図１４，１５の透液性シート１２４は、図４，５における透液性シート１２４と拡散シート１２６との機能を兼ね備えているもので、例えば繊度１〜６ｄｔｅｘ、長さ２０〜６０ｍｍのレーヨン繊維を少なくとも４０重量％含むスパンレース不織布によって作られる。透液性シート１２４はまた、６０重量％を限度として繊度１〜６ｄｔｅｘ、長さ２０〜６０ｍｍの熱可塑性合成繊維を含むことができる。透液性シート１２４は、その通気性が、図４の透液性シート１２４と同様に湿潤状態において０〜１００ｃｃ／ｃｍ２／秒の範囲にあって、乾燥状態では２０〜２００ｃｃ／ｃｍ２／秒の範囲にあり、また、図４の拡散シート１２６と同様にレーヨン繊維を少なくとも４０重量％含むことによって、尿を速やかに拡散させることができる。透液性シート１２４はまた、それ自体が単独で規定の通気性を有していることが好ましいものではあるが、図１４，１５の如く容器部１１２の開口全体を覆う接合用シート２００と重なり合うとともに少なくとも部分的に接合した状態で使用される場合には、重なり合った透液性シート１２４と接合シート２００とが図４における透液性シート１１２としての規定の通気性を満たすものであってもよい。
【００６２】
クッションシート１２８は、図４，５のクッションシート１２８と同じ材料で形成することができ、透液性シート１２４と同じ大きさを有する。
【００６３】
尿センサ１１８は、フィルム２６０の内面に導電性塗料を塗布することによって尿検知用の電極２１８ａ，２１８ｂが形成されているもので（図１６参照）、フィルム２６０が長さ方向Ｐにおいてバックシート１２２の両端部近傍にまで延びている。フィルム２６０の内面には、便検知用電極１４３ａ，１４３ｂ（図１６参照）も形成されている。
【００６４】
スペーサ１３０は、図４，５のスペーサ１３０と同じ材料で形成することができ、透液性シート１２４と同じ大きさを有する。スペーサ１３０は、長さ方向Ｐへ延びるものではあるが、便検知用電極１４３ａ，１４３ｂにおける便検知部１４４ｄ，１４４ｅ（図１６参照）を覆うほどまでには下方へ延びていない。
【００６５】
フィルタ１３２と肌当てシート１３４とのそれぞれは、図４，５のフィルタ１３２と肌当てシート１３４と同じ材料で形成することができ、フィルタ１３２は透液性シート１２４と同じ大きさを有する。肌当てシート１３４は、長さ方向Ｐの寸法が透液性シート１２４と同じであるが、幅方向Ｑの寸法が透液性シート１２４よりも大きくて、バックシート１２２とほぼ同じに作られている。
【００６６】
図１５に示されているように、尿レシーバ１０２の長さ方向Ｐにおける両端部のそれぞれには、エンドシート１３８とエンドシート１４０とが設けられている。これら両シート１３８，１４０は、防漏堤１３６の長さ方向Ｐにおける両端部（図示せず）のそれぞれを図３と同様に覆っている。図１４，１５において、互いに重なり合う透液性シート１２４と、クッションシート１２８と、尿センサ１１８と、スペーサ１３０と、フィルタ１３２と、肌当てシート１３４とは図４，５と同様に接合している。しかし、バックシート１２２は、容器部１１２の底部外面に粘着剤等を介して接合していることに加え、容器部１１２のフランジ部１５２から延出する部分がバックシート１２２の上方にある肌当てシート１３４やその他のシートと接合している。防漏堤１３６は、肌当てシート１３４や肌当てシート１３４の周縁から延出しているバックシート１２２に接合している。
【００６７】
なお、図１５において、便検知用電極１４３ａ，１４３ｂの便検知部１４４ｄ，１４４ｅは、便の水分を透過可能な不織布製カバーシート２０１によって被覆される。カバーシート２０１の上方にあるエンドシート１４０には、エンドシート１４０で検知部１４４ｄ，１４４ｅを覆い隠すことがないように、透孔２０２が形成されている。透孔２０２は、尿レシーバ１０２の着用者の肛門近傍に位置させる。
【００６８】
図１６は、図１４，１５に示された尿レシーバ１０２に使用されている尿センサ１１８の部分破断平面図である。尿センサ１１８は、不透液性の熱可塑性合成樹脂フィルム２６０の内面に一対の尿検出用電極２１８ａ，２１８ｂと、一対の便検出用電極１４３ａ，１４３ｂと、断線検出用回路２５０とを有しており、電極２１８ａ，２１８ｂ，１４３ａ，１４３ｂの大部分と断線検出用回路２５０の全体とが絶縁塗料による塗膜１７０によって被覆されており、図ではその塗膜１７０の一部分が破断した状態で示されている。フィルム２６０には、幅方向Ｑの中央部に長さ方向Ｐへ並ぶ開口１７１，１７２が形成されている。開口１７１と１７２との間にはブリッジ１８３が形成されている。また、一対の電極２１８ａ，２１８ｂも一対の１４３ａ，１４３ｂも、開口１７１，１７２を挟んで対向するように形成されており、断線検出用回路２５０は、一対の尿検出用電極２１８ａ，２１８ｂの端部どうしをつなぐように延びている。図１６において、尿検出用電極２１８ａは、塗膜１７０に形成されている小孔１６９ａからのぞく尿検出部１７５ａを有する。尿検出用電極２１８ｂは、塗膜１７０に形成される透孔（図示せず）からのぞく尿検出部１７５ｂを有する。便検出用電極１４３ａ，１４３ｂは、尿センサ１１８の下端部寄りに塗膜１７０によって被覆されることのない便検出部１４４ｄ，１４４ｅを有する。また、尿検出用電極２１８ａ，２１８ｂの上端部にはコネクタ部２１８ｃ，２１８ｄが形成されており、便検出用電極１４３ａ，１４３ｂの上端部にはコネクタ部２４４ａ，２４４ｂが形成されている。これらのコネクタ部２１８ｃ，２１８ｄと２４４ａ，２４４ｂとは、図２のクリップ１２０によって把持される。一対の尿検出用電極２１８ａ，２１８ｂの間において、尿検出部１１８ｄどうしが尿によってつながると、電流が流れてポンプユニット１０８を作動させることができる。また、一対の便検出用電極１４３ａ，１４３ｂの間において、便検出部１４４ｄ，１４４ｅどうしが便または便に含まれる水分によってつながると、電流が流れて図４，５の尿レシーバ１０２の場合と同様に排便のあったことを知らせることができる。
【００６９】
なお、断線検出用回路２５０には、電源１１６ａ（図１参照）からの微弱な電流が常時流れており、例えば尿検出用電極２１８ｂが損傷を受けて断線した場合に、ポンプユニット１０８に付属する断線警報器（図示せず）を作動させ、その断線を知らせて尿レシーバ１０２の交換を促すことができる。
【産業上の利用可能性】
【００７０】
本発明によれば、尿を効率よく速やかに吸引することが可能な尿レシーバの生産が可能になる。
【図面の簡単な説明】
【００７１】
【図１】尿レシーバを含む自動尿処理装置の概略構成図。
【図２】尿レシーバの着用状態を示す図。
【図３】尿レシーバの平面図。
【図４】図３のIＶ−IＶ線切断面を示す図。
【図５】図３のＶ−Ｖ線切断面を示す図。
【図６】容器部の斜視図。
【図７】図６のＶＩＩ−ＶＩＩ線断面図。
【図８】図６のＶＩＩＩ−ＶＩＩＩ線断面図。
【図９】容器部に継手部材が挿入されている図８と同様な図。
【図１０】容器部にバックシートおよび透液性シートを接合する工程を示す図。
【図１１】実施態様の一例を示す図４と同様な図。
【図１２】実施態様の一例を示す図５と同様な図。
【図１３】図６と異なる態様の容器部の斜視図。
【図１４】尿レシーバの一例を示す図４と同様な図。
【図１５】尿レシーバの一例を示す図５と同様な図。
【図１６】尿センサの平面図。
【符号の説明】
【００７２】
１００ａ    尿吸引機構
１０２      尿レシーバ
１１２      容器部
１１２ａ    頂縁部分
１１４      尿排出用開口
１１８      センサ
１２４      透液性シート
１３０      スペーサ
１３２      フィルタ
１３６      防漏堤
１３６ｂ    縁部
１３６ｃ    端部
１３６ｄ    端部
１３６ｅ    縁部
１４８      底部
１５０      周壁部
１５０ａ    周壁部
１５０ｃ    リブ
１５２      フランジ部
１５４      導尿部
１５６      尿吸引用開口
１５８      隆起部
１６０      尿吸引用空間
１８０      吸引部
２００      熱可塑性合成樹脂材料
Ｐ    長さ方向
Ｑ    幅方向
Ｒ    厚さ方向
【図１】
0004473331.tif 000002
【図２】
0004473331.tif 000003
【図３】
0004473331.tif 000004
【図４】
0004473331.tif 000005
【図５】
0004473331.tif 000006
【図６】
0004473331.tif 000007
【図７】
0004473331.tif 000008
【図８】
0004473331.tif 000009
【図９】
0004473331.tif 000010
【図１０】
0004473331.tif 000011
【図１１】
0004473331.tif 000012
【図１２】
0004473331.tif 000013
【図１３】
0004473331.tif 000014
【図１４】
0004473331.tif 000015
【図１５】
0004473331.tif 000016
【図１６】
0004473331.tif 000017